(57)【要約】      （修正有）【課題】読取口から受光光学系に至るまでの経路上に外部からの異物を除去する防護部材を配置してなる光学的情報読取装置において、防護部材内面の清掃を迅速且つ容易に行い得る構成を提供する。【解決手段】光学的情報読取装置１は、ケース２内において読取口５と受光光学系との間に透光性の防護部材７０が配置されている。この防護部材７０は、保持・回転機構によって保持されており、読取時に受光光学系側に面する裏部７２を、受光光学系側に面する位置から清掃可能位置に移動させうる構成をなしている。【選択図】図１
2010108126.tif 000002
【特許請求の範囲】
【請求項１】
光学的情報からの反射光を受光する受光光学系を有する光学的情報読取装置であって、  読取口を備えたケースと、
前記ケース内において前記読取口と前記受光光学系との間に配される透光性の防護部材と、
前記防護部材を保持する保持手段と、
を備え、
前記防護部材は、読取時に前記読取口側に面する表部と、読取時に前記受光光学系側に面する裏部とを有し、
前記保持手段は、前記防護部材の前記裏部を、前記受光光学系側に面する位置から清掃可能位置に移動させる移動手段を有することを特徴とする光学的情報読取装置。
【請求項２】
前記移動手段は、読取時に前記受光光学系側に面する前記裏部を、前記防護部材を回転させることで前記読取口側に向かせる回転手段からなることを特徴とする請求項１に記載の光学的情報読取装置。
【請求項３】
前記防護部材の汚れを拭き取る清掃部材を備え、
前記移動手段は、前記裏部を前記清掃部材に接触させつつ移動させることを特徴とする請求項１に記載の光学的情報読取装置。
【請求項４】
前記防護部材は、円筒状に構成されると共に、外周部の一部分が前記表部として構成され、前記外周部の他部分が前記裏部として構成されており、
前記清掃部材は、前記防護部材の前記外周部に接触する構成をなしており、
前記移動手段は、前記防護部材の円筒中心を回転軸として前記外周部を周方向に回転させる回転手段からなることを特徴とする請求項３に記載の光学的情報読取装置。
【請求項５】
前記防護部材は、両面が円筒面状に構成される湾曲部材からなり、一方面側が前記表部として構成され、他方面側が前記裏部として構成されており、
前記清掃部材は、前記裏部に接触する位置に配置され、
前記移動手段は、前記防護部材を所定の回転軸を中心として回転させることで、前記裏部を前記清掃部材に接触させつつ周方向に移動させることを特徴とする請求項３に記載の光学的情報読取装置。
【請求項６】
前記清掃部材とは異なる位置に第２の清掃部材が設けられており、
前記移動手段は、前記表部を前記第２の清掃部材と接触させつつ移動させることを特徴とする請求項３から請求項５のいずれか一項に記載の光学的情報読取装置。
【請求項７】
前記防護部材は、前記読取口と前記受光光学系との間において前記受光光学系側に寄った位置に配置されることを特徴とする請求項１から請求項６のいずれか一項に記載の光学的情報読取装置。
【請求項８】
前記光学的情報に対して光を照射する投光手段を備え、
前記防護部材は、前記投光手段によって照射される光の経路を避けた位置であって、且つ前記投光手段に隣接する位置に配置されていることを特徴とする請求項１から請求項７のいずれか一項に記載の光学的情報読取装置。
【請求項９】
前記移動手段は、前記防護部材と連動する操作部を備え、
前記操作部が前記ケースの外部に露出した構成をなしていることを特徴とする請求項１から請求項８のいずれか一項に記載の光学的情報読取装置。
【請求項１０】
前記保持手段は、前記表部が前記読取口側に面し、前記裏部が前記受光光学系側に面した状態で前記防護部材を位置決めする位置決め手段を有し、
前記移動手段は、前記操作部に対する所定操作に応じて前記位置決め手段による位置決めが解除されたときに前記裏部を前記清掃可能位置に移動させることを特徴とする請求項９に記載の光学的情報読取装置。
【発明の詳細な説明】
【技術分野】
【０００１】
本発明は、光学的情報読取装置に関するものである。
【背景技術】
【０００２】
従来より、光学的情報読取装置の分野において、装置内部への異物侵入を防ぐ防護プレートを設けた構成が提供されている。例えば、特許文献１で開示されるバーコードリーダでは、シリンドリカルレンズを一体形成した防塵カバーをケースの開口部（読取口）近傍に設け、装置内部への異物侵入を防止している。
【特許文献１】実開平５−１７７６０号公報
【発明の開示】
【発明が解決しようとする課題】
【０００３】
ところで、上記防護プレートは、一般的に読取口を閉塞する形態で固定されるため、外部からの塵等の異物が外面に付着する場合がある。このような異物の清掃方法としては、例えば読取口から細長の清掃部材を進入させ、当該清掃部材によって防護プレート外面に付着した異物を拭い取るといった方法が効果的である。
【０００４】
他方、上記異物は防護プレート内面に付着する場合もありうる。例えば、光学的情報読取装置のケース内では、部品同士の接触等に起因する削れ粉が発生する場合があり、このような削れ粉が防護プレート内面に付着すると、光学系に影響を及ぼし、読み取り不良を招くおそれがある。
【０００５】
このように、防護プレートによって読取口を閉塞してなる光学的情報読取装置では、防護プレート内面の異物が問題となり、当該異物（即ち、防護プレート内面に付着した削れ粉など）を効果的に除去できる構成が望まれている。しかしながら、従来のように読取口を閉塞する形態で防護プレートを固定する構成の場合、装置全体を分解しない限り防護プレート内面にアクセスすることができず、防護プレート内面に付着した異物を容易に取り除くことができなかった。
【０００６】
本発明は、上述した課題を解決するためになされたものであり、読取口から受光光学系に至るまでの経路上に外部からの異物を除去する防護部材を配置してなる光学的情報読取装置において、防護部材内面の清掃を迅速且つ容易に行い得る構成を提供することを目的とする。
【課題を解決するための手段】
【０００７】
上記目的を達成するため、請求項１の発明は、光学的情報からの反射光を受光する受光光学系を有する光学的情報読取装置であって、読取口を備えたケースと、前記ケース内において前記読取口と前記受光光学系との間に配される透光性の防護部材と、前記防護部材を保持する保持手段と、を備え、前記防護部材は、読取時に前記読取口側に面する表部と、読取時に前記受光光学系側に面する裏部とを有し、前記保持手段は、前記防護部材の前記裏部を、前記受光光学系側に面する位置から清掃可能位置に移動させる移動手段を有することを特徴とする。
請求項１における「清掃可能位置」とは、「前記裏部が前記読取口側に面する位置」、「前記裏部が所定位置に配置された清掃部材に接触する位置」のいずれをも含む概念である。
【０００８】
請求項２の発明は、請求項１に記載の光学的情報読取装置において、前記移動手段は、読取時に前記受光光学系側に面する前記裏部を、前記防護部材を回転させることで前記読取口側に向かせる回転手段からなることを特徴とする。
【０００９】
請求項３の発明は、請求項１に記載の光学的情報読取装置において、前記防護部材の汚れを拭き取る清掃部材を備え、前記移動手段は、前記裏部を前記清掃部材に接触させつつ移動させることを特徴とする。
【００１０】
請求項４の発明は、請求項３に記載の光学的情報読取装置において、前記防護部材は、円筒状に構成されると共に、外周部の一部分が前記表部として構成され、前記外周部の他部分が前記裏部として構成されており、前記清掃部材は、前記防護部材の前記外周部に接触する構成をなしており、前記移動手段は、前記防護部材の円筒中心を回転軸として前記外周部を周方向に回転させる回転手段からなることを特徴とする。
【００１１】
請求項５の発明は、請求項３に記載の光学的情報読取装置において、前記防護部材は、両面が円筒面状に構成される湾曲部材からなり、一方面側が前記表部として構成され、他方面側が前記裏部として構成されており、前記清掃部材は、前記裏部に接触する位置に配置され、前記移動手段は、前記防護部材を所定の回転軸を中心として回転させることで、前記裏部を前記清掃部材に接触させつつ周方向に移動させることを特徴とする。
【００１２】
請求項６の発明は、請求項３から請求項５のいずれか一項に記載の光学的情報読取装置において、前記清掃部材とは異なる位置に第２の清掃部材が設けられており、前記移動手段は、前記表部を前記第２の清掃部材と接触させつつ移動させることを特徴とする。
【００１３】
請求項７の発明は、請求項１から請求項６のいずれか一項に記載の光学的情報読取装置において、前記防護部材は、前記読取口と前記受光光学系との間において前記受光光学系側に寄った位置に配置されることを特徴とする。
【００１４】
請求項８の発明は、請求項１から請求項７のいずれか一項に記載の光学的情報読取装置において、前記光学的情報に対して光を照射する投光手段を備え、前記防護部材は、前記投光手段によって照射される光の経路を避けた位置であって、且つ前記投光手段に隣接する位置に配置されていることを特徴とする。
【００１５】
請求項９の発明は、請求項１から請求項８のいずれか一項に記載の光学的情報読取装置において、前記移動手段は、前記防護部材と連動する操作部を備え、前記操作部が前記ケースの外部に露出した構成をなしていることを特徴とする。
【００１６】
請求項１０の発明は、請求項９に記載の光学的情報読取装置において、前記保持手段は、前記表部が前記読取口側に面し、前記裏部が前記受光光学系側に面した状態で前記防護部材を位置決めする位置決め手段を有し、前記移動手段は、前記操作部に対する所定操作に応じて前記位置決め手段による位置決めが解除されたときに前記裏部を前記清掃可能位置に移動させることを特徴とする。
【発明の効果】
【００１７】
請求項１の発明は、読取口を備えたケース内において読取口と受光光学系との間において透光性の防護部材が保持されている。そして、この防護部材の裏部を受光光学系側に面する位置から清掃可能位置に移動させる移動手段が設けられている。このようにすると、読取口からケース内に塵等の異物が進入するのを効果的に防ぐことができ、更に、防護部材の裏部を清掃すべき場合（例えば、防護部材の裏部に、ケース内で生じた削れ粉などが付着した場合）に、容易に清掃作業を行うことができるようになる。
【００１８】
請求項２の発明は、防護部材を回転する回転手段が設けられ、この回転手段は、読取時に受光光学系側に面する裏部を、防護部材を回転させることで、読取口側に向かせる構成をなしている。このようにすると、必要に応じて裏部を読取口側に向かせることが可能な構成を簡易に実現でき、これにより、読取口を介して清掃部材等をケース内に進入させ、裏部を良好に清掃できるようになる。
【００１９】
請求項３の発明は、防護部材の汚れを拭き取る清掃部材が設けられ、防護部材の裏部を清掃部材に接触させつつ移動させるように構成されている。このようにすると、裏部を清掃するための特別な清掃部材を別途用意する必要がなく、清掃作業を手軽に行うことができる。また、清掃部材の移動に応じて裏部が清掃されるため、裏部の清掃に際し複雑な作業や細かな作業を省略でき、清掃作業を一層容易化できる。
【００２０】
請求項４の発明は、防護部材が円筒状に構成されており、外周部の一部分が表部として構成され、外周部の他部分が裏部として構成されている。更に、防護部材の外周部に接触するように清掃部材が設けられ、防護部材の円筒中心を回転軸として外周部を周方向に回転させる構成をなしている。このようにすると、裏部とされた部分を清掃部材によってスムーズに拭き取りうる構成を簡易に実現できる。
【００２１】
請求項５の発明は、両面が円筒面状の湾曲部材によって防護部材が構成されると共に、その一方面側が表部として構成され、他方面側が裏部として構成されており、この裏部に接触する位置に清掃部材が配置されている。そして、所定の回転軸を中心として防護部材を回転させることで、当該防護部材の裏部を清掃部材に接触させつつ周方向に移動させる構成をなしている。このようにすると、裏部とされた部分を清掃部材によってスムーズに拭き取りうる構成を簡易に実現できる。
【００２２】
請求項６の発明は、清掃部材とは異なる位置に第２の清掃部材が設けられており、防護部材の表部を第２の清掃部材と接触させつつ移動させるように構成されている。このようにすると、防護部材の移動に伴い、当該防護部材の裏部のみならず表部についても清掃できるため、防護部材の表裏両方の清掃を容易に行うことができる。また、防護部材の移動によって表部と裏部をいずれも清掃できるため、より短時間で清掃を完了できる。
【００２３】
請求項７の発明は、読取口と受光光学系との間において受光光学系側に寄った位置に防護部材が配置されている。このようにすると、防護部材をより奥まった位置に配置することができるため、作業者の手などが防護部材に触れにくくなり、防護部材の汚損を効果的に抑制できる。
【００２４】
請求項８の発明は、投光手段によって照射される光の経路を避けた位置であって、且つ投光手段に隣接する位置に防護部材が配置されている。このように投光経路を避けた位置に防護部材を配置すると、投光手段に起因する位置的な制約をあまり受けずに防護部材を配置でき、防護部材をより奥まった位置に配置しやすくなる。また、投受光路から完全に防護部材を取り除くのではなく、清浄性をより重視すべき受光光学系側に上記防護部材を選択的に配置しているため、内部をより効率的且つ効果的に保護できる。
【００２５】
請求項９の発明は、防護部材と連動する操作部が設けられ、この操作部がケースの外部に露出した構成をなしている。このようにすると、防護部材を移動させるために複雑なケース内作業を行う必要がなく、外部に露出する操作部を利用して防護部材を簡易に移動できる。
【００２６】
請求項１０の発明は、表部が読取口側に面し、裏部が受光光学系側に面した状態で防護部材を位置決めする位置決め手段を有している。このようにすると、読み取りの際には表部及び裏部を所定位置に安定的に配置できる。また、清掃を行う際には、外部に露出する操作部に対して所定操作を行うことで位置決めを解除して裏部を清掃可能位置に容易に移動させることができる。
【発明を実施するための最良の形態】
【００２７】
[第１実施形態]
以下、本発明の光学的情報読取装置について図面を参照しつつ説明する。図１は第１実施形態に係る光学的情報読取装置の内部構成を概略的に説明する説明図であり、図２は、図１の光学的情報読取装置の側面図である。図３は、図１の光学的情報読取装置の電気的構成を概略的に示すブロック図である。図４は、図２のＡ−Ａ断面を概略的に例示する断面図であり、図５は、図４のＢ−Ｂ断面を説明する説明図である。図６（ａ）は、防護部材を回転させる様子を説明する説明図であり、図６（ｂ）は、防護部材の裏部を読取口側に向けた様子を説明する説明図である。
【００２８】
まず、図１〜図３を参照して全体構成について説明する。
図１、図２に示す光学的情報読取装置１は、一次元コードや二次元コードを読み取る情報コードリーダとして構成されるものである。
【００２９】
図１、図２に示すように、光学的情報読取装置１は、ケース２の内部に回路部２０が収容されてなるものであり、ケース２には後述する照明光や反射光を導通させるための読取口５が形成されている。ケース２は、上ケース２ａと下ケース２ｂとが結合する形態で全体的に略長手状に構成されており、図１の例では長手方向一端側において開口する形態で読取口５が設けられている。また、ケース２は、読取口５が形成される先端部側が、プリント配線板２５が収容される回路収容部側に対して折れ曲がる形態をなしている。
【００３０】
図３に示すように、回路部２０は、主に、照明光源２１、受光センサ２８、結像レンズ２７等の光学系と、メモリ３５、制御回路４０、トリガースイッチ５０等のマイクロコンピュータ（以下「マイコン」という）系と、から構成されており、前述したプリント配線板２５に実装あるいはケース２に装着されている。
【００３１】
光学系は、光学的情報に対して照明光を投光する投光光学系と、光学的情報からの反射光を受光する受光光学系とに分かれている。投光光学系を構成する照明光源２１は、照明光Ｌｆを発光可能な照明光源として機能するもので、例えば、図１に示すように、赤色のＬＥＤ２２とこのＬＥＤ２２の出射側に設けられるレンズ２３とから構成されている。
【００３２】
受光光学系は、図１、図３に示すように、受光センサ２８、結像レンズ２７、反射鏡７によって構成されている。受光センサ２８は、読取対象物ＲやバーコードＢに照射されて反射した反射光Ｌｒを受光可能に構成されるものである。この受光センサ２８は、結像レンズ２７を介して入射する入射光を受光可能にプリント配線板２５に実装されている。なお、図３では、反射光の受光対象となる光学的情報の一例としての読取対象物Ｒに貼り付けられたバーコードＢを示している。
【００３３】
結像レンズ２７は、外部から読取口５を介して入射する入射光を集光して受光センサ２８の受光面２８ａに像を結像可能な結像光学系として機能するものである。本実施形態では、照明光源２１から照射された照明光Ｌｆが、バーコードＢにて反射した後、反射鏡７で反射されるようになっている。そして、この反射光Ｌｒを結像レンズ２７で集光し、受光センサ２８の受光面２８ａにコード像を結像させている。
【００３４】
また、図３に示す回路部２０には、増幅回路３１、Ａ／Ｄ変換回路３３、メモリ３５、アドレス発生回路３６、同期信号発生回路３８、制御回路４０、トリガースイッチ５０、ブザー４４、通信インタフェース４８等が設けられている。
【００３５】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード像画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３６】
制御回路４０は、光学的情報読取装置１全体を制御可能なマイコンからなるものであり、ＣＰＵ、システムバス、入出力インタフェース等を備えた構成をなしている。この制御回路４０は情報処理機能を有しており、内蔵された入出力インタフェースを介して種々の入出力装置（周辺装置）と接続されている。本実施形態の場合、トリガースイッチ５０、ブザー４４、通信インタフェース４８などが制御回路４０に接続されている。
【００３７】
次に、防護部材７０と、この防護部材７０を保持する保持・回転機構６０について説明する。
図１に示すように、光学的情報読取装置１は、回路基板２０側から読取口５に連通する投受光路６を閉塞するように投光性の防護部材７０が設けられている。この防護部材７０は、透明な樹脂材材料などによって矩形状かつ板状に構成されており、照明光源２１からの照明光Ｌｆ、及び読取対象物Ｒからの反射光Ｌｒのいずれも透過し得る構成をなしている。
【００３８】
図４に示すように、防護部材７０は、光学的情報読取装置１の幅方向に沿った長手状に構成されており、その長手方向両端部が後述する保持・回転機構６０に保持されている。本実施形態では図１のように、投受光路６内における読取口５と上記受光光学系との間において防護部材７０が変位可能に保持されている。なお、保持・回転機構６０は、「保持手段」の一例に相当し、防護部材７０を保持する機能を有する。
【００３９】
保持・回転機構６０は、図４に示すように、防護部材７０の両端に固定される一対の軸部６１、６２と、これら軸部６１、６２をそれぞれ回転可能に保持する軸受部６８，６９と、防護部材７０の位置決めを行う位置決め機構６３とによって構成されている。
【００４０】
軸部６１，６２は、光学的情報読取装置１の幅方向に延びており、後述する操作部６１ａに対する回転操作に応じ、幅方向の回転軸Ｇを中心として回転する構成をなしている。軸受部６８、６９は、ケース２に形成された孔部によって構成されており、一方の軸受部６８は、投受光路８からケース２外部に至るまで孔が貫通しており、軸部６１はこの軸受部６８に回転可能に支持された状態でその一端部（操作部６１ａ）を外部に露出させている。軸受部６９を構成する孔部は、投受光路６から所定の深さ形成されており、軸部６２は、この軸受部６９と嵌合し当該軸受部６９によって回転可能に支持されている。
【００４１】
なお、図４では、軸部６２側がケース２外部に露出しないように構成した例を示したが、軸受部６９が投受光部６からケース２外部まで貫通し、軸部６２の一端部が外部に露出するように構成してもよい。
【００４２】
上記防護部材７０は、この保持・回転機構６０によって支持され、読み取りなどの通常の使用の際には、例えば図１のように、板状に構成される防護部材７０の一方面側が読取口５側に向き、他方面側が受光光学系側に向いた状態で保持されるようになっている。本実施形態では、防護部材７０の一方面側を表部７１とし、他方面側を裏部７２としており、図１のように、表部７１が読取口５側に向き、裏部７２が受光光学系側に向いた状態で図４のように投受光路６が閉塞されるようになっており、この状態でバーコード等の読み取りなどを良好に行うことができるようになっている。
【００４３】
一方、保持・回転機構６０は、上記のように構成される防護部材７０を操作部６１ａに対する操作に応じて移動させる構成をなしている。この操作部６１ａは、軸部６１の一部として構成されて当該軸部６１が固定された防護部材７０と連動する構成をなしており、図１のように受光光学系側に裏部７２が面した状態から、作業者が操作部６１ａを回転させる操作を行うことにより、図６（ａ）のように防護部材７０が回転軸Ｇを中心として回転し、図６（ｂ）のように裏部７２を反転させて読取口５側に向かせることができるようになっている。
【００４４】
図６（ｂ）のように裏部７２が読取口５側に向いたときには、読取口５から布等の清掃部材を進入させて裏部７２側の面を拭き取ることができ（矢印Ｆ１参照）、これにより裏部７２を清浄な状態とすることができる。裏部７２の清掃終了後には再び防護部材７０を回転させて裏部７２が受光光学系側に面するように配置し直してもよく、図６（ｂ）の状態で使用し、適当な時期に反転して図１のような状態に戻してもよい。
【００４５】
本実施形態では、保持・回転機構６０が「移動手段」の一例に相当し、防護部材７０の裏部７２を、図１のように受光光学系側に面する位置から、図６（ｂ）のような清掃可能位置に移動させるように機能する。なお、本実施形態では、裏部７２が読取口５側に面する位置が「清掃可能位置」に相当する。また、保持・回転機構は、「回転手段」の一例に相当し、図１のように読取時に受光光学系側に面する裏部７２を、防護部材７０を回転させることで読取口５側に向かせるように機能する。
【００４６】
また、回転保持機構６０は、図５に示す位置決め機構６３によって防護部材７０を任意の回転位置に保持できるようになっている。この位置決め機構６３は、軸部６１に固定されて当該軸部６１と一体的に回転する歯車部６４と、歯車部６４と係合する係合部材６５とからなり、これらがケース２に形成されたキャビティ状の収容部８に収容されている。係合部材６５は、弾性変形可能なアーム状に構成され、基端部６５ｂがケース２に固定されており、係合突起６５ａが形成された先端部側が歯車部６４の外周部側に付勢されている。
【００４７】
歯車部６４の外周部には、複数の歯が所定ピッチで形成されており、いずれかの歯間に係合突起６５ａが進入することで、歯車部６４と係合部材６５とが係合し、軸部６１の回転が拘束されるようになっている。例えば図１の状態で、上記位置決め機構６３により上記係合がなされると、表部７１が読取口５側に面し、裏部７２が受光光学系側に面した状態で防護部材７０が位置決めされ、防護部材７０が安定的に位置保持されることとなる。
【００４８】
また、上記位置決め機構６３は、操作部６１ａに対する回転操作によって位置決めを解除できるようになっている。即ち、歯車部６４の各歯は、係合突起６５ａ側に面する面が周方向に対して傾斜するテーパ面として構成されており、操作部６１ａをある程度以上の力で回転させると、係合突起６５ａがアーム部６５ｃによる付勢に抗してテーパ面によって半径方向外側に案内され、歯間から係合突起６５ａが離脱するようになっている。
【００４９】
このように構成されているため、操作部６１ａの回転操作を続けることで、歯間と係合突起６５ａとの係合と、上記のような離脱動作を繰り返すことができ、軸部６１を所望の回転位置まで変位させることができる。そして、その所望の回転位置で操作部６１ａに対する回転操作を止めることにより当該回転位置で位置決めできる。例えば、図１の状態で位置決め機構６３によって位置決めされている場合には、操作部６１ａに対する回転操作に応じて位置決め機構６３による位置決めが解除され、図６（ａ）（ｂ）のように更なる回転操作がなされたときに裏部７２を清掃可能位置（図６（ｂ））に移動させることができる。
【００５０】
なお、本実施形態では、図２に示すように、操作部６１ａに十字状の溝（プラス溝）が形成されており、例えば、プラスドライバーなどの工具を用いることで操作部６１ａを簡単に回転操作できるようになっている。また、図２の構成はあくまで一例であり、操作部６１ａの構成は作業者によって操作可能な構成であればよく、例えば、マイナス溝が形成されてマイナスドライバーなどの工具によって操作する構成であってもよく、操作部６１ａをケース２から突出するように形成し、当該操作部６１ａを摘んで操作できるようにしてもよい。
【００５１】
本実施形態の構成によれば、例えば以下のような効果を奏する。
本実施形態に係る光学的情報読取装置１では、ケース２内における読取口５と受光光学系との間に、透光性の防護部材７０が保持され、この防護部材７０の裏部７２を受光光学系側に面する位置から清掃可能位置（図６（ｂ））に移動させるように保持・回転機構６０が構成されている。このようにすると、読取口５からケース２内に塵等の異物が進入するのを効果的に防ぐことができ、更に、防護部材７０の裏部７２を清掃すべき場合（例えば、防護部材７０の裏部に、ケース２内で生じた削れ粉などが付着した場合）に、容易に清掃作業を行うことができる。
【００５２】
また、「回転手段」に相当する保持・回転機構６０は、図１のように読取時に受光光学系側に面する裏部７２を、図６（ａ）（ｂ）のように防護部材７０を回転させることで、読取口５側に向かせる構成をなしている。このようにすると、必要に応じて裏部７２を読取口５側に向かせうる構成を簡易に実現でき、これにより、読取口５を介して清掃部材等をケース２内に進入させ、裏部７２を良好に清掃できるようになる。
【００５３】
また、防護部材７０と連動する操作部６１ａが設けられ、この操作部６１ａがケース２の外部に露出した構成をなしている。このようにすると、防護部材７０を移動させるために複雑なケース２内作業を行う必要がなく、外部に露出する操作部６１ａを利用して防護部材７０を簡易に移動できる。
【００５４】
また、表部７１が読取口５側に面し、裏部７２が受光光学系側に面した状態で防護部材７０を位置決め可能な位置決め機構６３が設けられている。このようにすると、読み取りの際には表部７１及び裏部７２を図１に示す所定位置に安定的に配置できる。また、清掃を行う際には、外部に露出する操作部６１ａに対して所定操作を行うことで位置決めを解除して裏部７２を清掃可能位置（図６（ｂ））に容易に移動させることができる。
【００５５】
［第２実施形態]
次に第２実施形態について説明する。図７は第２実施形態に係る光学的情報読取装置の内部構成を概略的に説明する説明図である。なお、第２実施形態の光学的情報読取装置２００は、防護部材の位置を変更した点が第１実施形態の光学的情報読取装置１と異なり、それ以外は第１実施形態と同様である。例えば、防護部材２７０の構成は第１実施形態の防護部材７０と同様であり、この防護部材２７０を保持する保持・回転機構は、第１実施形態の保持・回転機構６０と同様である。また、ケース２、回路部２０、反射鏡７なども第１実施形態と同様である。よって同様の点については第１実施形態と同一の符号を付し、詳細な説明は省略することとする。
【００５６】
本実施形態の光学的情報読取装置２００も、読取口５を備えたケース２と、ケース２内において読取口５と受光光学系との間に配される透光性の防護部材２７０と、防護部材２７０を保持する保持・回転機構６０（図４参照、図７では図示略）と、を備えており、防護部材２７０の一方面側を表部２７１とし、他方面側を裏部２７２としている。
【００５７】
保持・回転機構６０は、第１実施形態と同様に機能し、読取時に受光光学系側に面する防護部材２７０の裏部２７２を、受光光学系側に面する位置（図７）から清掃可能位置（図７の状態から防護部材２７０を反転した位置）に移動し得る構成をなしている。
【００５８】
一方、本実施形態に係る光学的情報読取装置２００では、図７に示すように、読取口５と受光光学系との間において受光光学系側に寄った位置に防護部材２７０が配置されている。具体的には、照明光源２１によって照射される光の経路（図７のＬｆ参照）を避けた位置であって、且つ照明光源２１に隣接する位置に、上記保持・回転機構６０によって保持される形態で防護部材が回転可能に配置されている。図７の例では、読取口５よりも、受光光学系のうちの読取口５に最も近い部品（図７では、反射鏡７）に寄った状態で防護部材２７０が保持されており、その保持位置で回転軸Ｇを中心に回転しうる構成をなしている。
【００５９】
なお、本実施形態でも、保持・回転機構６０が「移動手段」の一例に相当し、防護部材２７０の裏部２７２を、受光光学系側に面する位置（図７）から清掃可能位置に移動させるように機能する。本実施形態では、裏部２７２が読取口５側に面する位置（図７の状態から防護部材２７０を反転した位置）が「清掃可能位置」に相当する。また、本実施形態でも保持・回転機構６０が「回転手段」の一例に相当し、図７のように読取時に受光光学系側に面する裏部２７２を、防護部材２７０を回転させることで読取口５側に向かせるように機能する。また、本実施形態でも、第１実施形態と同様の操作部６１ａ（図２参照）や位置決め機構６３（図５参照）が設けられている。
【００６０】
本実施形態の構成によれば、第１実施形態と同様の効果を奏し、更に以下の効果をも奏する。
本実施形態に係る光学的情報読取装置２００では、読取口５と受光光学系との間において受光光学系側に寄った位置に防護部材２７０が配置されている。このようにすると、防護部材２７０をより奥まった位置に配置することができるため、作業者の手などが防護部材２７０に触れにくくなり、防護部材２７０の汚損を効果的に抑制できる。
【００６１】
また、照明光源２１（投光手段）によって照射される光の経路を避けた位置であって、且つ照明光源２１に隣接する位置に防護部材２７０が配置されている。このように投光経路を避けた位置に防護部材２７０を配置すると、照明光源２１に起因する位置的な制約をあまり受けずに防護部材２７０を配置でき、防護部材２７０をより奥まった位置に配置しやすくなる。また、投受光路６から完全に防護部材を取り除くのではなく、清浄性をより重視すべき受光光学系側に上記防護部材２７０を選択的に配置しているため、内部をより効率的且つ効果的に保護できる。
【００６２】
［第３実施形態]
次に第３実施形態について図８及び図９を参照して説明する。図８は第３実施形態に係る光学的情報読取装置の内部構成を概略的に説明する説明図である。図９は、図８のＣ−Ｃ断面を概略的に例示する断面図である。なお、第３実施形態の光学的情報読取装置３００は、防護部材の位置、構成を変更した点、及び清掃部材を設けた点が第１実施形態の光学的情報読取装置１と異なり、それ以外は第１実施形態と同様である。
【００６３】
例えば、防護部材３７０を保持する保持・回転機構は、第１実施形態の保持・回転機構６０と同様であり、ケース２、回路部２０、反射鏡７なども第１実施形態と同様である。よって同様の点については第１実施形態と同一の符号を付し、詳細な説明は省略することとする。なお、図９では、保持・回転機構６０（図４）の一部となるべき軸部６１、６２、歯車部６４を示しており、軸部６１、６２を保持する軸受部６８、６９（図４）や、位置決め機構６３を構成する他の部品（図５）などは省略して示している。
【００６４】
本実施形態の光学的情報読取装置３００も、読取口５を備えたケース２と、ケース２内において読取口５と受光光学系との間に配される透光性の防護部材３７０と、防護部材３７０を保持する保持・回転機構６０（図４参照、図８では図示略）と、を備えている。
【００６５】
防護部材３７０は、図８、図９に示すように透明な樹脂材料などによって円筒状に構成されており、読取対象物Ｒからの反射光Ｌｒを透過し得る構成をなしている。
【００６６】
また、上記防護部材３７０は、読取口５と受光光学系との間において受光光学系側に寄った位置に配置されている。具体的には、照明光源２１によって照射される光の経路（図８のＬｆ参照）を避けた位置であって、且つ照明光源２１に隣接する位置に、上記保持・回転機構６０によって保持される形態で防護部材３７０が回転可能に配置されている。図８の例では、読取口５よりも、受光光学系のうちの読取口５に最も近い部品（図８では、反射鏡７）に寄った状態で防護部材３７０が保持されており、その保持位置で回転軸Ｇを中心に回転しうる構成をなしている。
【００６７】
また、図８、図９に示すように、防護部材３７０の円筒軸方向に長手状に延びる形態で清掃部材３８０が設けられている。この清掃部材３８０は、防護部材３７０よりも軟質の樹脂材料などによって構成されており、防護部材３７０の円筒軸方向ほぼ全体に亘って当該防護部材３７０の外周部に接触する構成をなしている。
【００６８】
このように構成される防護部材３７０及び清掃部材３８０は、図８のように、防護部材３７０における、読み取りの際に読取口５に面する形態で配置されうるいずれかの部分を表部３７１とし、その表部３７１とされた部分が読取口５に面するように配置されたときに受光光学系側に面するように配置される部分を裏部３７２としたとき、防護部材３７０を回転軸Ｇを中心として回転することで、読み取りの際に受光光学系側に面していた裏部３７２を清掃部材３８０と接触させつつ移動させることができるようになっている。これにより、防護部材３７０の裏部３７２が清掃部材３８０によって拭き取られ、当該裏部３７２の表面に付着する異物（削れ粉等）が除去される。
【００６９】
本実施形態でも、保持・回転機構６０が「移動手段」の一例に相当し、防護部材３７０において裏部とされた部分（図８では、裏部３７２を例示）を、受光光学系側に面する位置（図８）から清掃可能位置に移動させるように機能する（より具体的には、裏部とされた部分を清掃部材３８０に接触させつつ移動させるように機能する）。なお、本実施形態では、裏部とされた部分が清掃部材３８０に接触する位置が「清掃可能位置」に相当する。
【００７０】
また、保持・回転機構６０は、「回転手段」の一例に相当し、防護部材３７０の円筒中心を回転軸として当該防護部材３７０の外周部を周方向に回転させるように機能する。また、本実施形態でも、第１実施形態と同様の操作部６１ａ（図２参照）や位置決め機構６３（図５参照）が設けられている。
【００７１】
本実施形態の構成によれば、第１実施形態及び第２実施形態と同様の効果を奏し、更に以下の効果を奏する。
本実施形態に係る光学的情報読取装置３００では、防護部材３７０の汚れを拭き取る清掃部材３８０が設けられ、防護部材３７０における裏部とされる部分（図８では裏部３７２）を清掃部材３８０に接触させつつ移動させるように構成されている。このようにすると、裏部とされた部分を清掃するための特別な清掃部材を用いる必要がなく、清掃作業を手軽に行うことができる。また、清掃部材の移動に応じて裏部が清掃されるため、裏部の清掃に際し複雑な作業や細かな作業を省略でき、清掃作業を一層容易化できる。
【００７２】
また、防護部材３７０が円筒状に構成されており、外周部の一部分を表部（読み取りの際に読取口側に面する部分）として機能させ、外周部の他部分を裏部（読み取りの際に受光光学系側に面する部分）として機能させることができるようになっている。更に、防護部材３７０の外周部に接触するように清掃部材３８０が設けられ、防護部材３７０の円筒中心を回転軸として外周部を周方向に回転させる構成をなしている。このようにすると、裏部とされる部分を清掃部材３８０によってスムーズに拭き取り得る構成を簡易に実現できる。
【００７３】
［第４実施形態]
次に第４実施形態について図１０及び図１１を参照して説明する。図１０は第４実施形態に係る光学的情報読取装置の内部構成を概略的に説明する説明図である。図１１は、図１０の光学的情報読取装置に用いられる防護部材及び清掃部材を概略的に例示する斜視図である。なお、第４実施形態の光学的情報読取装置４００は、防護部材の構成を変更した点、及び清掃部材を設けた点が第１実施形態の光学的情報読取装置１と異なり、それ以外は第１実施形態と同様である。
【００７４】
例えば、防護部材４７０を保持する保持・回転機構は、第１実施形態の保持・回転機構６０と同様であり、ケース２、回路部２０、反射鏡７なども第１実施形態と同様である。よって同様の点については第１実施形態と同一の符号を付し、詳細な説明は省略することとする。
【００７５】
本実施形態の光学的情報読取装置４００も、読取口５を備えたケース２と、ケース２内において読取口５と受光光学系との間に配される透光性の防護部材４７０と、防護部材４７０を保持する保持・回転機構６０（図４参照、図８では図示略）とを備えている。
【００７６】
本実施形態で用いられる防護部材４７０は、例えば透明な樹脂材料からなるものであり、図１０、図１１に示すように両面が円筒面状に構成される湾曲部材によって構成されている。この防護部材４７０は、一方面側が表部４７１として構成され、他方面側が裏部４７２として構成されており、照明光源２１からの照明光Ｌｆ、及び読取対象物Ｒからの反射光Ｌｒのいずれも透過し得る構成をなしている。なお、防護部材４７０の両端部には一対の壁部４７３、４７４が固定されており、これら壁部４７３、４７４から回転軸Ｇの方向に延びる形態で上述の軸部６１、６２（図４参照、図１１では図示略）が設けられ、第１実施形態と同様の保持・回転機構６０が構成されている。
【００７７】
また、図１０、図１１に示すように、防護部材４７０の回転軸方向に長手状に延びる形態で清掃部材４８０が設けられている。この清掃部材４８０は、防護部材４７０よりも軟質の樹脂材料などによって構成されており、防護部材４７０の長手方向ほぼ全体に亘って当該防護部材４７０の裏部４７２に接触する構成をなしている。
【００７８】
また、清掃部材４８０とは異なる位置（具体的には、清掃部材４８０に対し防護部材４７０を挟んだ反対側）に、第２の清掃部材４８２が設けられており、表部４７１が第２の清掃部材４８０に接触する構成をなしている。図１０の例では、清掃部材４８０と第２の清掃部材４８２とが所定間隔をあけて配置されており、これら清掃部材４８０及び第２清掃部材４８２の間を通りながら防護部材４７０が変位する構成をなしている。
【００７９】
このように構成される防護部材４７０、清掃部材４８０、及び第２の清掃部材４８２は、読み取りの際には、図１０のように、表部４７１が読取口５に面し、裏部４７２が受光光学系側に面する形態で配置される。一方、清掃する際には、防護部材４７０を回転軸Ｇを中心として回転させることで（図１０の破線参照）、読み取りの際に受光光学系側に面していた裏部４７２を清掃部材４８０と接触させつつ移動させることができ、これにより、防護部材４７０の裏部４７２を清掃部材４８０によって拭き取ることができる。また、上記回転に伴い、表部４７１を第２の清掃部材４８２と接触させつつ移動させることができ、表部４７１についても第２の清掃部材４８２によって拭き取ることができる。
【００８０】
なお、本実施形態でも、保持・回転機構６０が「移動手段」の一例に相当し、防護部材４７０の裏部４７２を、受光光学系側に面する位置（図１０）から清掃可能位置に移動させるように機能する（より具体的には、裏部４７２を清掃部材４８０に接触させつつ移動させるように機能する）。なお、本実施形態では、裏部４７２が清掃部材４８０に接触する位置が「清掃可能位置」に相当する。
【００８１】
また、保持・回転機構６０は、「回転手段」の一例に相当し、防護部材４７０を所定の回転軸Ｇを中心として回転させることで、裏部４７２を清掃部材４８０に接触させつつ周方向に移動させるように機能する。また、本実施形態でも、第１実施形態と同様の操作部６１ａ（図２参照）や位置決め機構６３（図５参照）が設けられている。
ことを特徴とする。
【００８２】
本実施形態の構成によれば、第１実施形態と同様の効果を奏し、更に以下の効果を奏する。
本実施形態に係る光学的情報読取装置４００では、防護部材４７０の汚れを拭き取る清掃部材４８０が設けられ、防護部材４７０の裏部４７２を清掃部材４８０に接触させつつ移動させるように構成されている。このようにすると、裏部４７２を清掃するための特別な清掃部材を別途用意する必要がなく、清掃作業を手軽に行うことができる。また、清掃部材４８０に対する裏部４７２の相対移動に応じて裏部４７２が清掃されるため、裏部４７２の清掃に際し複雑な作業や細かな作業を省略でき、清掃作業を一層容易化できる。
【００８３】
また、両面が円筒面状の湾曲部材によって防護部材４７０が構成されると共に、一方面側が表部４７１として構成され、他方面側が裏部４７２として構成されており、この裏部４７２に接触する位置に清掃部材４８０が配置されている。そして、所定の回転軸を中心として防護部材４７０を回転させることで、当該防護部材４７０の裏部４７２を清掃部材４８０に接触させつつ周方向に移動させる構成をなしている。このようにすると、裏部４７２を清掃部材４８０によってスムーズに拭き取りうる構成を簡易に実現できる。
【００８４】
更に、清掃部材４８０は異なる位置に第２の清掃部材４８２が設けられており、防護部材４７０の表部４７１を第２の清掃部材４８２と接触させつつ移動させ得るように構成されている。このようにすると、防護部材４７０の移動に伴い、裏部４７２のみならず表部４７１についても清掃できるため、防護部材４７０の表裏両方の清掃を容易に行うことができる。また、防護部材４７０の移動によって表部４７１及び裏部４７２を一度に清掃できるため、より短時間で清掃を完了できる。
【００８５】
［他の実施形態]
本発明は上記記述及び図面によって説明した実施形態に限定されるものではなく、例えば次のような実施形態も本発明の技術的範囲に含まれる。
【００８６】
上記実施形態では、位置決め手段の一例として位置決め機構６３を例示したが、防護部材を任意の回転位置に位置決めしうる構成であれば上記例に限定されない。例えば、図４の一点鎖線９０に示すように、軸部６１又はこれに固定される固定部（図４では、歯車部６４）に当接可能な当接部材を設け、当該当接部材と軸部６１又は上記固定部とを当接させることでその摩擦力により防護部材を位置決めしてもよい。当接部材の例としては、軸部６１或いは固定部に対して進退可能な部材（例えばねじ部材等）などを好適に用いることができる。
【００８７】
第３実施形態では、防護部材３７０や清掃部材３８０を受光光学系寄りに配置した例を示したが、防護部材３７０を第１実施形態の防護部材７０と同程度の位置（投光光学系及び受光光学系をいずれもカバーしうる位置）に配置し、これと接触するように清掃部材３８０を配置してもよい。
【００８８】
第４実施形態で用いられた防護部材４７０を受光光学系寄りの位置に配置し、これと接触するように清掃部材４８０及び第２の清掃部材４８２を配置するようにしてもよい。
【図面の簡単な説明】
【００８９】
【図１】図１は第１実施形態に係る光学的情報読取装置の内部構成を概略的に説明する説明図である。
【図２】図２は、図１の光学的情報読取装置の側面図である。
【図３】図３は、図１の光学的情報読取装置の電気的構成を概略的に示すブロック図である。
【図４】図４は、図２のＡ−Ａ断面を概略的に例示する断面図である。
【図５】図５は、図４のＢ−Ｂ断面付近を説明する説明図である。
【図６】図６（ａ）は、防護部材を回転させる様子を説明する説明図であり、図６（ｂ）は、防護部材の裏部を読取口５側に向けた様子を説明する説明図である。
【図７】図７は第２実施形態に係る光学的情報読取装置の内部構成を概略的に説明する説明図である。
【図８】図８は第３実施形態に係る光学的情報読取装置の内部構成を概略的に説明する説明図である。
【図９】図９は、図８のＣ−Ｃ断面付近を概略的に例示する断面図である。
【図１０】図１０は第４実施形態に係る光学的情報読取装置の内部構成を概略的に説明する説明図である。
【図１１】図１１は、図１０の光学的情報読取装置に用いられる防護部材及び清掃部材を概略的に例示する斜視図である。
【符号の説明】
【００９０】
１,２００,３００,４００…光学的情報読取装置
２…ケース
５…読取口
７…反射鏡（受光光学系）
２１…照明光源（投光手段）
２７…結像レンズ（受光光学系）
２８…受光センサ（受光光学系）
６０…保持・回転機構（保持手段、移動手段、回転手段）
６１ａ…操作部
６３…位置決め機構（位置決め手段）
７０,２７０,３７０…防護部材
７１,２７１,３７１,４７１…表部
７２,２７２,３７２,４７２…裏部
３８０,４８０…清掃部材
４７０…防護部材（湾曲部材）
４８２…第２の清掃部材
【図１】
2010108126.tif 000003
【図２】
2010108126.tif 000004
【図３】
2010108126.tif 000005
【図４】
2010108126.tif 000006
【図５】
2010108126.tif 000007
【図６】
2010108126.tif 000008
【図７】
2010108126.tif 000009
【図８】
2010108126.tif 000010
【図９】
2010108126.tif 000011
【図１０】
2010108126.tif 000012
【図１１】
2010108126.tif 000013